(57)【要約】【課題】設備構成をコンパクト化でき、鋳片の幅圧下を高い生産性で歩留りよく効率的に実施可能な鋳片の幅圧下設備を提供する。【解決手段】鋳片１３を製造する複数の連続鋳造機と、この鋳片１３を加熱する加熱炉１４と、鋳片１３の搬送方向両端部をプレスするプレス式幅圧下装置１５と、鋳片３３の搬送方向に渡って幅圧下するロール式幅圧下装置１６とを有する鋳片の幅圧下設備１０であって、プレス式幅圧下装置１５とロール式幅圧下装置１６は、鋳片１３の幅圧下ライン２０の上流側と下流側に配置され、その間には幅圧下される鋳片１３、３３が侵入可能な領域３４が設けられ、連続鋳造機から鋳片１３を送り出す複数の送出しライン１７と幅圧下ライン２０を平行に配置し、幅圧下ライン２０の領域３４と送出しライン１７の間に加熱炉１４を配置し、送出しライン１７と加熱炉１４の間に第１の搬送装置を設置した。【選択図】図１
2008254036.tif 000002
【特許請求の範囲】
【請求項１】
溶融金属を連続的に凝固させて鋳片を製造する複数の連続鋳造機と、
前記複数の連続鋳造機で製造された前記鋳片を加熱する加熱炉と、
前記鋳片の幅方向両側に対向配置される一対の金型を備え、前記加熱炉から抽出した前記鋳片の搬送方向両端部をそれぞれプレスするプレス式幅圧下装置と、
前記鋳片の幅方向両側に対向配置される圧下用ロールを備え、前記プレス式幅圧下装置でプレスした前記鋳片の搬送方向に渡って該鋳片の幅を圧下するロール式幅圧下装置とを有する鋳片の幅圧下設備であって、
前記プレス式幅圧下装置と前記ロール式幅圧下装置は、前記鋳片の幅圧下ラインの上流側と下流側にそれぞれ配置され、該プレス式幅圧下装置と該ロール式幅圧下装置との間には、幅圧下される前記鋳片が侵入可能な領域が設けられ、前記連続鋳造機から前記鋳片を送り出す複数の送出しラインと前記幅圧下ラインとを平行に配置し、しかも、該幅圧下ラインの前記領域と前記送出しラインとの間に前記加熱炉を配置し、該送出しラインと該加熱炉との間に前記鋳片を前記送出しラインから前記加熱炉へ移動させる第１の搬送装置を設置したことを特徴とする鋳片の幅圧下設備。
【請求項２】
請求項１記載の鋳片の幅圧下設備において、前記送出しラインの前記加熱炉より下流側の位置と、前記幅圧下ラインの前記ロール式幅圧下装置の下流側の位置との間には、前記鋳片を移動させる第２の搬送装置が設けられ、前記鋳片の幅圧下が不要な場合には、前記連続鋳造機から送り出された前記鋳片を、前記第２の搬送装置により、前記加熱炉を通過させることなく、前記送出しラインから前記幅圧下ラインの前記ロール式幅圧下装置の下流側へ直接移動可能としたことを特徴とする鋳片の幅圧下設備。
【請求項３】
請求項１および２のいずれか１項に記載の鋳片の幅圧下設備において、前記送出しラインの前記加熱炉より上流側の位置と、前記幅圧下ラインの前記プレス式幅圧下装置の上流側の位置との間には、前記鋳片を移動させる第３の搬送装置が設けられ、前記連続鋳造機で製造された前記鋳片を前記加熱炉を通過させることなく、前記プレス式幅圧下装置で幅圧下する場合、前記連続鋳造機から送り出された前記鋳片を、前記第３の搬送装置により、前記送出しラインから前記幅圧下ラインの前記プレス式幅圧下装置の上流側へ直接移動可能としたことを特徴とする鋳片の幅圧下設備。
【発明の詳細な説明】
【技術分野】
【０００１】
本発明は、連続鋳造機で製造された鋳片の幅圧下を行う鋳片の幅圧下設備に関する。
【背景技術】
【０００２】
従来、製品の生産性向上を目的として、連続鋳造によって得られたスラブ（鋳片の一例）を熱間圧延に応じた所定板幅に圧下する工程を設けている。この幅圧下に使用する装置としては、プレス式幅圧下装置とロール式幅圧下装置がある。ここで、プレス式幅圧下装置とは、スラブの幅方向両側に間隔を有して対向配置された一対の金型を備えるものであり、この一対の金型の間へスラブを移動させてプレスすることで、スラブの幅を圧下するものである。また、ロール式幅圧下装置とは、スラブの幅方向両側に間隔を有して対向配置された圧下用ロールを備えるものであり、この圧下用ロール間でスラブを往復移動させることにより、スラブの幅を圧下するものである。
【０００３】
上記したプレス式幅圧下装置、更にはロール式幅圧下装置を使用した幅圧下設備として、以下に示す設備が提案されている。
例えば、特許文献１には、１基の連続鋳造機に加熱炉が設置され、加熱炉出側であってその上流側にプレス式幅圧下装置を配置し、加熱炉出側であってその下流側にスラブの厚みを調整する圧延機を配置した設備が開示されている。
また、特許文献２には、プレス式幅圧下装置の下流側にロール式幅圧下装置を設置した設備が開示されている。
そして、特許文献３には、プレス式幅圧下装置をロール式幅圧下装置に近接配置した設備が開示されている。
【０００４】
【特許文献１】特開平７−８０５０１号公報
【特許文献２】特開平６−２８５５０１号公報
【特許文献３】特開昭５６−９１９０８号公報
【発明の開示】
【発明が解決しようとする課題】
【０００５】
しかしながら、前記従来の幅圧下設備には、未だ解決すべき以下のような問題があった。
特許文献１の設備の場合、設備構成をコンパクトにはできるが、スラブの搬送方向全長に渡って幅圧下を上流側のプレス式幅圧下装置でのみ行い、下流側の圧延機では厚み圧下のみを行っている。このため、スラブの幅圧下ライン全体の生産性は、圧延機よりも処理に時間を要するプレス式幅圧下装置に依存するため、悪くなるという欠点があった。このため、加熱炉の上流側に連続鋳造機を１台しか設置できなく、複数の連続鋳造機を設置して生産性を向上させる設備構成には適用できなかった。
また、特許文献２の設備の場合についても、特許文献１の場合と同様、プレス式幅圧下装置でスラブの搬送方向全長に渡って幅圧下を行うため、生産性が悪かった。
そして、特許文献３の設備の場合、加熱炉の上流側で、かつプレス式幅圧下装置の直後にロール式幅圧下装置が配置されているため、プレス式幅圧下装置とロール式幅圧下装置で、それぞれ別のスラブを同時に加工することができないため、生産性が悪かった。
【０００６】
本発明はかかる事情に鑑みてなされたもので、設備構成をコンパクト化でき、鋳片の幅圧下を高い生産性で歩留りよく効率的に実施可能な鋳片の幅圧下設備を提供することを目的とする。
【課題を解決するための手段】
【０００７】
本発明は上記課題を解決するためのものであり、その手段（１）は、溶融金属を連続的に凝固させて鋳片を製造する複数の連続鋳造機と、
前記複数の連続鋳造機で製造された前記鋳片を加熱する加熱炉と、
前記鋳片の幅方向両側に対向配置される一対の金型を備え、前記加熱炉から抽出した前記鋳片の搬送方向両端部をそれぞれプレスするプレス式幅圧下装置と、
前記鋳片の幅方向両側に対向配置される圧下用ロールを備え、前記プレス式幅圧下装置でプレスした前記鋳片の搬送方向に渡って該鋳片の幅を圧下するロール式幅圧下装置とを有する鋳片の幅圧下設備であって、
前記プレス式幅圧下装置と前記ロール式幅圧下装置は、前記鋳片の幅圧下ラインの上流側と下流側にそれぞれ配置され、該プレス式幅圧下装置と該ロール式幅圧下装置との間には、幅圧下される前記鋳片が侵入可能な領域が設けられ、前記連続鋳造機から前記鋳片を送り出す複数の送出しラインと前記幅圧下ラインとを平行に配置し、しかも、該幅圧下ラインの前記領域と前記送出しラインとの間に前記加熱炉を配置し、該送出しラインと該加熱炉との間に前記鋳片を前記送出しラインから前記加熱炉へ移動させる第１の搬送装置を設置した。
【０００８】
手段（２）は、手段（１）において、前記送出しラインの前記加熱炉より下流側の位置と、前記幅圧下ラインの前記ロール式幅圧下装置の下流側の位置との間には、前記鋳片を移動させる第２の搬送装置が設けられ、前記鋳片の幅圧下が不要な場合には、前記連続鋳造機から送り出された前記鋳片を、前記第２の搬送装置により、前記加熱炉を通過させることなく、前記送出しラインから前記幅圧下ラインの前記ロール式幅圧下装置の下流側へ直接移動可能とした。
【０００９】
手段（３）は、手段（１）および手段（２）において、前記送出しラインの前記加熱炉より上流側の位置と、前記幅圧下ラインの前記プレス式幅圧下装置の上流側の位置との間には、前記鋳片を移動させる第３の搬送装置が設けられ、前記連続鋳造機で製造された前記鋳片を前記加熱炉を通過させることなく、前記プレス式幅圧下装置で幅圧下する場合、前記連続鋳造機から送り出された前記鋳片を、前記第３の搬送装置により、前記送出しラインから前記幅圧下ラインの前記プレス式幅圧下装置の上流側へ直接移動可能とした。
【発明の効果】
【００１０】
本発明に係る鋳片の幅圧下設備は、鋳片の幅圧下ラインの上流側と下流側にそれぞれ配置されたプレス式幅圧下装置とロール式幅圧下装置の間に、加熱炉から抽出された鋳片が侵入可能な領域を設けている。即ち、加熱炉の上流側と下流側に両幅圧下装置を配置したので、加熱炉の長さに相当する幅圧下ラインのスペースを、この両幅圧下装置で幅圧下中の鋳片の侵入領域として有効利用でき、例えば、幅圧下ライン上で、鋳片を同一方向にまたは離れる方向に移動させることにより、プレス式幅圧下装置とロール式幅圧下装置の各装置で同時に鋳片の幅圧下処理が可能となる。これにより、幅圧下ラインを過剰に長くすることなく、各装置で幅圧下される鋳片同士を接触させずに、両幅圧下装置で同時に鋳片の幅圧下を実施できるので、鋳片の幅圧下を高い生産性で効率的に実施可能となる。
【００１１】
また、送出しラインの加熱炉より下流側の位置と、幅圧下ラインのロール式幅圧下装置の下流側の位置との間に、鋳片を移動させる第２の搬送装置を設ける場合には、鋳片の幅圧下が不要なときに、連続鋳造機から送り出された鋳片を、ロール式幅圧下装置の下流側へ直接移動させることに対応できる。
そして、送出しラインの加熱炉より上流側の位置と、幅圧下ラインのプレス式幅圧下装置の上流側の位置との間に、鋳片を移動させる第３の搬送装置を設ける場合には、鋳片がプレス式幅圧下装置で加工可能な温度を備えているときに、連続鋳造機から送り出された鋳片を、プレス式幅圧下装置の上流側へ直接移動させることに対応できる。
このように、状況に応じた処理が可能な設備構成とすることで、製品の生産性を更に向上できる。
【発明を実施するための最良の形態】
【００１２】
続いて、添付した図面を参照しつつ、本発明を具体化した実施の形態につき説明し、本発明の理解に供する。
ここで、図１は本発明の第１の実施の形態に係る鋳片の幅圧下設備の説明図、図２は本発明の第２の実施の形態に係る鋳片の幅圧下設備の説明図、図３は本発明の第３の実施の形態に係る鋳片の幅圧下設備の説明図、図４（Ａ）、（Ｂ）はそれぞれ本発明の第１の実施の形態に係る鋳片の幅圧下設備のプレス式幅圧下装置を使用してスラブの先端部を幅圧下する説明図、後端部を幅圧下する説明図、図５は同鋳片の幅圧下設備のロール式幅圧下装置を使用してスラブの幅圧下を行う方法の説明図、図６（Ａ）はプレス式幅圧下装置のみで幅圧下を行った場合のスラブの平面図、（Ｂ）はロール式幅圧下装置のみで幅圧下を行った場合のスラブの平面図、（Ｃ）はプレス式幅圧下装置でスラブの先後端部の幅圧下を行った後にロール式幅圧下装置で所定幅となった先後端部以外の幅圧下を行った場合のスラブの平面図である。
【００１３】
図１〜図５に示すように、本発明の第１〜第３の実施の形態に係る鋳片の幅圧下設備１０〜１２は、スラブ（鋳片の一例）１３を製造する複数（ここでは、４機）の連続鋳造機（図示しない）と、製造されたスラブ１３を加熱する加熱炉１４と、スラブ１３の搬送方向両端部をそれぞれプレスするプレス式幅圧下装置１５と、プレスされたスラブ１３の搬送方向に渡って幅圧下するロール式幅圧下装置１６とを有する設備であり、製品の生産性を歩留りよく高めることが可能な構成を備える設備である。以下、第１〜第３の各実施の形態で共通して使用する各装置について説明した後、各実施の形態について詳しく説明する。
【００１４】
複数の連続鋳造機において、それぞれ溶融金属を鋳型により連続的に凝固させて製造されたスラブ（例えば、厚み１２０〜４００ｍｍ程度、幅１５００〜２２００ｍｍ程度）は、切断機により所定長さ（例えば、７〜３０ｍ程度）に切断された後、図１〜図３に示すように、各連続鋳造機の下流側に位置する複数の搬送ロールで構成された送出しライン１７上まで搬送される。ここで、連続鋳造機によって製造されたスラブ１３は、先に凝固させた側を先端部１８（下流側、図１〜図３において下側）とし、最後に凝固させた側を後端部１９（上流側）とする（以下、同じ）。
また、加熱炉１４は、各連続鋳造機で製造された複数のスラブ１３を収納可能な容積を備えており、このスラブ１３を予め設定した温度、例えば、９００℃以上１３００℃以下の温度範囲内まで昇温可能な装置である。
【００１５】
ここで、送出しライン１７は、少なくとも加熱炉１４の側方まで延設されていればよく、図２、図３に示すように、加熱炉１４の側方よりも更に下流側まで延設することが好ましい。この送出しライン１７と平行となるように、加熱炉１４を挟んで複数の搬送用ロールで構成される幅圧下ライン２０が設けられ、この幅圧下ライン２０の上流側にプレス式幅圧下装置１５、下流側にロール式幅圧下装置１６が配置されている。
プレス式幅圧下装置１５は従来公知のものであり、スラブ１３の幅方向両側に対向配置される一対の金型２１、２２を備えている。
この金型２１、２２は、図４（Ａ）、（Ｂ）に示すように、一対の先端部圧下用金型部２３、２４と一対の後端部圧下用金型部２５、２６とが、上下方向に重ねて配置されたものである。
【００１６】
なお、先端部圧下用金型部２３、２４は、平面視して台形状となっており、図１〜図４（Ａ）に示すように、対向する面の後側（幅圧下ライン２０の上流側）部は傾斜面となって、この傾斜面間の距離が、スラブ１３の後側（幅圧下ライン２０の上流側方向）に向けて徐々に広くなるようにそれぞれ形成されている。また、後端部圧下用金型部２５、２６も、平面視して台形状となっており、図４（Ｂ）、図５に示すように、対向する面の前側（幅圧下ライン２０の下流側）部は傾斜面となって、この傾斜面間の距離が、スラブ１３の先側（幅圧下ライン２０の下流側方向）に向けて徐々に広くなるようにそれぞれ形成されている。
これにより、スラブ１３の搬送方向を変えるのみで、前記した温度範囲内まで昇温したスラブ１３の搬送方向両端部をそれぞれ幅圧下できる。
【００１７】
ロール式幅圧下装置１６は従来公知のものであり、スラブ１３の幅方向両側に対向配置され、しかもスラブ１３の搬送方向に間隔を有して配置された２対（複数対でもよい）の圧下用ロール２７〜３０と、その間にスラブ１３の厚み方向両側に対向配置された圧延用ロール３１、３２とを有するものである。
これにより、プレス式幅圧下装置１５でプレスされ（予成形され）たスラブ３３を、ロール式幅圧下装置１６に対して往復移動させることにより、スラブ１３の搬送方向に渡って幅方向と厚み方向を圧下できる。
【００１８】
続いて、本発明の第１の実施の形態に係る鋳片の幅圧下設備１０について、図１を参照しながら説明する。
プレス式幅圧下装置１５とロール式幅圧下装置１６との間には、幅圧下されるスラブ１３が侵入可能な領域３４が設けられ、しかもこの領域３４と送出しライン１７（最も幅圧下ライン２０に近い側に配置された）との間に加熱炉１４が配置されている。
このため、領域３４は、加熱炉１４からのスラブ１３の搬出領域（抽出領域）、プレス式幅圧下装置１５でスラブ１３の後端部１９をプレスする際のスラブ１３の侵入領域、およびロール式幅圧下装置１６でスラブ１３を幅圧下する際のスラブ３３の侵入領域を共用することになる。なお、この領域３４の長さは、加熱炉１４の長さＬより長くスラブ１３の長さの例えば、１．５倍以上２倍以下程度である。
従って、各領域をそれぞれ個別に設ける場合と比較して、設備構成をコンパクトにできる。
なお、送出しライン１７と加熱炉１４との間には、スラブ１３を送出しライン１７から加熱炉１４へ移動させる図示しない第１の搬送装置（例えば、クロークレーンまたはスキッド）を設置している。
【００１９】
ここで、上記した鋳片の幅圧下設備１０により、スラブ１３を幅圧下する方法について説明する。
まず、各連続鋳造機でそれぞれスラブを製造して切断する。なお、スラブの鋳造速度は、例えば、０．５〜２．５ｍ／分（ここでは、１．８ｍ／分）程度であり、プレス式幅圧下装置１５のプレス速度（例えば、５〜２５ｍ／分程度：ここでは１０ｍ／分）と比較して遅いので、複数の連続鋳造機でスラブを製造することにより、製品の生産性が高められる。
次に、第１の搬送装置により、送出しライン１７まで搬送されてきたスラブ１３を、加熱炉１４に供給し、例えば、９００℃以上１３００℃以下の温度範囲内まで昇温する。
そして、昇温が完了したスラブ１３を、幅圧下ライン２０の領域３４へ図示しない搬送手段（例えば、クロークレーンまたはスキッド）により搬出（抽出）する。
【００２０】
図１、図４（Ａ）に示すように、幅圧下ライン２０上へ搬出されたスラブ１３を、幅圧下ライン２０の上流側へ搬送し、スラブ１３の先端部１８（下流側端部）がプレス式幅圧下装置１５の金型２１、２２まで移動したところで停止する。そして、金型２１、２２の先端部圧下用金型部２３、２４により、スラブ１３の先端部１８の幅圧下を行う。
次に、図４（Ｂ）に示すように、このスラブ１３を幅圧下ライン２０の下流側へ搬送し、スラブ１３の後端部１９（上流側端部）がプレス式幅圧下装置１５の金型２１、２２まで移動したところで停止する。そして、金型２１、２２の後端部圧下用金型部２５、２６により、スラブ１３の後端部１９の幅圧下を行う。
このように、スラブ１３の先端部１８の幅圧下を行った後に、スラブ１３の後端部１９の幅圧下を行うことで、先に鋳造され、後端部よりも温度が低下している先端部の幅圧下を先に実施できるため、スラブの過剰な加熱が不要となり、製品の生産性が高められるとともに、熱エネルギーコストの低減も図れる。
【００２１】
続いて、図１、図５に示すように、プレス式幅圧下装置１５で幅圧下したスラブ３３を、ロール式幅圧下装置１６へ搬送し、ロール式幅圧下装置１６を中心として、往復移動させる。これにより、所定のスラブ幅まで幅圧下できる。
なお、ロール式幅圧下装置１６は、幅圧下速度が、例えば、６０〜１００ｍ／分程度であるので、プレス式幅圧下装置１５の幅圧下速度の約３〜５倍程度である。従って、ロール式幅圧下装置１６で幅圧下する回数が片側３回であれば、プレス式幅圧下装置１５とロール式幅圧下装置１６の処理時間を同等にでき、各装置を連続的に使用できる。
【００２２】
ここで、加熱炉１４から幅圧下ライン２０の領域３４へのスラブ１３の搬出時期（抽出時期）と、幅圧下ライン２０の領域３４からプレス式幅圧下装置１５へのスラブ１３の移動時期と、プレス式幅圧下装置１５からロール式幅圧下装置１６へのスラブ３３の移動時期について説明する。
加熱炉１４からのスラブ１３の搬出時期は、プレス式幅圧下装置１５で幅圧下したスラブ３３がロール式幅圧下装置１６へと移動した後である。そして、ロール式幅圧下装置１６でスラブ１３を幅圧下する際に幅圧下ライン２０の上流側へ移動するとき、領域３４へ搬出されたスラブ１３もプレス式幅圧下装置１５へと移動させる。
【００２３】
次に、プレス式幅圧下装置１５でスラブ１３の先端部１８の幅圧下が終了した後は、スラブ１３を幅圧下ライン２０の下流側へ移動させ、スラブ１３の後端部１９の幅圧下を行う。このとき、ロール式幅圧下装置１６で幅圧下されるスラブ３３は下流側に移動する。また、ロール式幅圧下装置１６で幅圧下されたスラブ３５は、幅圧下ライン２０の下流側へと移動し、その下流側に配置された圧延機（図示しない）へ送られる。
そして、プレス式幅圧下装置１５で幅圧下されたスラブ３３がロール式幅圧下装置１６へと送られ、続いて、加熱炉１４内のスラブ１３が幅圧下ライン２０の領域３４へ搬出される。
以上の各操作を繰り返し実施することで、コンパクト化された鋳片の幅圧下設備１０により、幅圧下ライン２０上でのスラブ１３、３３同士の接触を発生させることなく、スラブ１３、３３の幅圧下を実施できる。
【００２４】
なお、従来、プレス式幅圧下装置のみでスラブを長手方向全体に渡って幅圧下した場合、図６（Ａ）に示すように、スラブの先後端部の形状は良好であったが、ロール式幅圧下装置のみで幅圧下を行った場合、図６（Ｂ）に示すように、スラブの先後端部に突出部が形成され、歩留りが低下していた。このため、歩留りを向上させるには、プレス式幅圧下装置のみを使用すればよいとも考えられるが、前記したように、プレス式幅圧下装置の幅圧下速度はロール式幅圧下装置と比較して遅く、製品の生産性が悪くなる。
そこで、本発明のように、スラブの先後端部をプレス式幅圧下装置で所定の幅まで圧下し、それ以外の部分をロール式幅圧下装置で所定の幅まで圧下することで、製品の生産性の低下を抑制しながら、図６（Ｃ）に示すように、スラブの先後端部の形状を良好にでき、歩留りの低下も抑制できることを確認できた。
【００２５】
次に、本発明の第２の実施の形態に係る鋳片の幅圧下設備１１について、図２を参照しながら説明する。
連続鋳造機の下流側に設けられた送出しライン３６は、加熱炉１４より下流側の位置で、かつ幅圧下ライン２０のロール式幅圧下装置１６の下流側の位置まで延設されている。また、この各位置の間には、スラブ１３を移動させる図示しない第２の搬送装置（例えば、クロークレーン、スキッド、または搬送テーブル）が設けられている。
このように構成することで、スラブ１３の幅圧下が不要な場合（例えば、目標とする幅と厚みを備えたスラブ１３が鋳造された場合）には、連続鋳造機から送り出されたスラブ１３を、加熱炉１４の側方よりも更に下流側位置の送出しライン３６まで搬送して停止する。そして、スラブ１３を、第２の搬送装置により、加熱炉１４を通過させることなく、送出しライン３６から幅圧下ライン２０のロール式幅圧下装置１６の下流側へ直接移動させる。
なお、この場合においても、幅圧下が必要なスラブは、前記した鋳片の幅圧下設備１０と同様の方法で幅圧下できる。
【００２６】
本発明の第３の形態に係る鋳片の幅圧下設備１２について、図３を参照しながら説明する。
連続鋳造機の下流側に設けられた送出しライン３７の加熱炉１４より上流側の位置と、幅圧下ライン２０のプレス式幅圧下装置１５の上流側の位置との間には、スラブを移動させる図示しない第３の搬送装置（例えば、クロークレーン、スキッド、または搬送テーブル）が設けられている。
このように構成することで、連続鋳造機で製造されたスラブ１３が前記した予め設定した温度を有し、プレス式幅圧下装置１５で加工可能な温度を備えている場合、連続鋳造機から送り出されたスラブ１３を、加熱炉１４の側方よりも更に上流側位置の送出しライン３７まで搬送して停止する。そして、スラブ１３を、第３の搬送装置により、加熱炉１４を通過させることなく、送出しライン３７から幅圧下ライン２０のプレス式幅圧下装置１５の上流側へ直接移動させる。
なお、この場合においても、昇温が必要なスラブは、前記した鋳片の幅圧下設備１０と同様の方法で昇温できる。また、幅圧下が不要なスラブは、前記した鋳片の幅圧下設備１１と同様の方法で第２の搬送装置により下流側へ搬送できる。
【００２７】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部または全部を組合せて本発明の鋳片の幅圧下設備を構成する場合も本発明の権利範囲に含まれる。
また、前記第３の実施の形態においては、送出しラインを、第２の実施の形態のように、加熱炉の側方よりも更に下流側まで延設した場合について説明したが、第１の実施の形態のように、加熱炉１４の側方までとしてもよい。
【図面の簡単な説明】
【００２８】
【図１】本発明の第１の実施の形態に係る鋳片の幅圧下設備の説明図である。
【図２】本発明の第２の実施の形態に係る鋳片の幅圧下設備の説明図である。
【図３】本発明の第３の実施の形態に係る鋳片の幅圧下設備の説明図である。
【図４】（Ａ）、（Ｂ）はそれぞれ本発明の第１の実施の形態に係る鋳片の幅圧下設備のプレス式幅圧下装置を使用してスラブの先端部を幅圧下する説明図、後端部を幅圧下する説明図である。
【図５】同鋳片の幅圧下設備のロール式幅圧下装置を使用してスラブの幅圧下を行う方法の説明図である。
【図６】（Ａ）はプレス式幅圧下装置のみで幅圧下を行った場合のスラブの平面図、（Ｂ）はロール式幅圧下装置のみで幅圧下を行った場合のスラブの平面図、（Ｃ）はプレス式幅圧下装置でスラブの先後端部の幅圧下を行った後にロール式幅圧下装置で所定幅となった先後端部以外の幅圧下を行った場合のスラブの平面図である。
【符号の説明】
【００２９】
１０〜１２：鋳片の幅圧下設備、１３：スラブ（鋳片）、１４：加熱炉、１５：プレス式幅圧下装置、１６：ロール式幅圧下装置、１７：送出しライン、１８：先端部、１９：後端部、２０：幅圧下ライン、２１、２２：金型、２３、２４：先端部圧下用金型部、２５、２６：後端部圧下用金型部、２７〜３０：圧下用ロール、３１、３２：圧延用ロール、３３：スラブ、３４：領域、３５：スラブ、３６、３７：送出しライン
【図１】
2008254036.tif 000003
【図２】
2008254036.tif 000004
【図３】
2008254036.tif 000005
【図４】
2008254036.tif 000006
【図５】
2008254036.tif 000007
【図６】
2008254036.tif 000008